(57)【要約】【課題】２台の映像記録再生装置を制御して編集を行う際に、各映像記録再生装置での再生映像を、それぞれそのタイムコードをスーパーインポーズして１台のビデオモニターに表示する。【解決手段】編集装置１は、再生側の映像記録再生装置２の操作時には、記録側の映像記録再生装置３にＥＥモードをオンさせ、映像記録再生装置２にスーパーインポーズをオンさせて映像記録再生装置３にスーパーインポーズをオフさせる。また記録側の映像記録再生装置３の操作時には、映像記録再生装置３にＥＥモードをオフさせるとともにスーパーインポーズをオンさせる。また編集時には、映像記録再生装置３にＥＥモードをオフさせ、映像記録再生装置２にスーパーインポーズをオフさせて映像記録再生装置３にスーパーインポーズをオンさせる。【選択図】図４
2008053839.tif 000002
【特許請求の範囲】
【請求項１】
外部から入力した映像信号を記録・再生することなく出力するＥＥモード機能と、出力する映像信号にキャラクターをスーパーインポーズするスーパーインポーズ機能とをそれぞれ有する再生側，記録側の２台の映像記録再生装置のうち、操作対象の映像記録再生装置を指定し、指定した映像記録再生装置から映像信号を再生させる操作と、編集を実行する操作とを行うための操作部と、
前記操作部の操作に基づいて前記再生側，記録側の映像記録再生装置を制御する制御部と
を備え、
前記制御部は、
前記操作部で前記再生側の映像記録再生装置が操作対象として指定されたことに応じて、前記記録側の映像記録再生装置に前記ＥＥモードをオンさせ、前記再生側の映像記録再生装置に前記スーパーインポーズをオンさせるとともに前記記録側の映像記録再生装置に前記スーパーインポーズをオフさせる第１の制御と、
前記操作部で前記記録側の映像記録再生装置が操作対象として指定されたことに応じて、前記記録側の映像記録再生装置に前記ＥＥモードをオフさせ、前記記録側の映像記録再生装置に前記スーパーインポーズをオンさせる第２の制御と、
前記操作部で編集を実行する操作が行われたことに応じて、前記記録側の映像記録再生装置に前記ＥＥモードをオフさせ、前記再生側の映像記録再生装置に前記スーパーインポーズをオフさせるとともに前記記録側の映像記録再生装置に前記スーパーインポーズをオンさせる第３の制御と
を行うことを特徴とする編集装置。
【請求項２】
請求項１に記載の編集装置において、
前記制御部は、前記第２の制御において、前記再生側の映像記録再生装置に前記スーパーインポーズをオフさせる
ことを特徴とする編集装置。
【請求項３】
外部から入力した映像信号を記録・再生することなく出力するＥＥモード機能と、出力する映像信号にキャラクターをスーパーインポーズするスーパーインポーズ機能とをそれぞれ有する再生側，記録側の２台の映像記録再生装置を制御する編集装置における映像記録再生装置の制御方法において、
前記再生側の映像記録再生装置が操作対象として指定されたことに応じて、前記記録側の映像記録再生装置に前記ＥＥモードをオンさせ、前記再生側の映像記録再生装置に前記スーパーインポーズをオンさせるとともに前記記録側の映像記録再生装置に前記スーパーインポーズをオフさせる第１のステップと、
前記記録側の映像記録再生装置が操作対象として指定されたことに応じて、前記記録側の映像記録再生装置に前記ＥＥモードをオフさせ、前記記録側の映像記録再生装置に前記スーパーインポーズをオンさせる第２のステップと、
編集実行操作が行われたことに応じて、前記記録側の映像記録再生装置に前記ＥＥモードをオフさせ、前記再生側の映像記録再生装置に前記スーパーインポーズをオフさせるとともに前記記録側の映像記録再生装置に前記スーパーインポーズをオンさせる第３のステップと
を有することを特徴とする映像記録再生装置の制御方法。
【請求項４】
編集装置と、
外部から入力した映像信号を記録・再生することなく出力するＥＥモード機能と、出力する映像信号にキャラクターをスーパーインポーズするスーパーインポーズ機能とをそれぞれ有する再生側，記録側の２台の映像記録再生装置と、
１台のビデオモニターと
で構成され、
前記再生側の映像記録再生装置の映像出力端子のうち、キャラクターをスーパーインポーズするための合成回路を経由する映像信号が出力される端子が、前記記録側の映像記録再生装置の映像入力端子に接続され、
前記記録側の映像記録再生装置の映像出力端子のうち、キャラクターをスーパーインポーズするための合成回路を経由する映像信号が出力される端子が、前記ビデオモニターに接続され、
前記編集装置は、
前記再生側，記録側の映像記録再生装置のうち、操作対象の映像記録再生装置を指定し、指定した映像記録再生装置から映像信号を再生させる操作と、編集を実行する操作とを行うための操作部と、
前記操作部の操作に基づいて前記再生側，記録側の映像記録再生装置を制御する制御部と
を備え、
前記制御部は、
前記操作部で前記再生側の映像記録再生装置が操作対象として指定されたことに応じて、前記記録側の映像記録再生装置に前記ＥＥモードをオンさせ、前記再生側の映像記録再生装置に前記スーパーインポーズをオンさせるとともに前記記録側の映像記録再生装置に前記スーパーインポーズをオフさせる第１の制御と、
前記操作部で前記記録側の映像記録再生装置が操作対象として指定されたことに応じて、前記記録側の映像記録再生装置に前記ＥＥモードをオフさせ、前記記録側の映像記録再生装置に前記スーパーインポーズをオンさせる第２の制御と、
前記操作部で編集を実行する操作が行われたことに応じて、前記記録側の映像記録再生装置に前記ＥＥモードをオフさせ、前記再生側の映像記録再生装置に前記スーパーインポーズをオフさせるとともに前記記録側の映像記録再生装置に前記スーパーインポーズをオンさせる第３の制御と
を行うことを特徴とする編集システム。
【発明の詳細な説明】
【技術分野】
【０００１】
本発明は、２台の映像記録再生装置を制御して編集を行うための編集装置に関する。
【背景技術】
【０００２】
映像コンテンツの制作分野で使用される編集装置として、２台のＶＴＲを制御する機能を有する編集装置が従来から存在している。この編集装置でプレーヤー側（再生側），レコーダー側（記録側）の２台のＶＴＲを制御することにより、アッセンブル編集やインサート編集を行うことができる。
【０００３】
こうした編集を行う際に、プレーヤー側，レコーダー側のそれぞれのＶＴＲに記録されている映像をビデオモニターで確認する方法としては、２台のビデオモニターを用いる方法と、ビデオモニターを１台だけ用いる方法とがある。
【０００４】
図１は、２台のビデオモニターを用いた編集システムの構成を示す図である。エディター５１は、その操作パネルの操作に基づいて２台のＶＴＲを制御する機能を有する編集装置である。このエディター５１で、プレーヤー側のＶＴＲ５２と、レコーダー側のＶＴＲ５３とを制御する。ＶＴＲ５２の映像出力端子のうち、タイムコード等のキャラクター（オンスクリーンデータ）をスーパーインポーズした映像信号が出力される端子５２ａから、ビデオモニター５４に映像信号を出力する。同様にＶＴＲ５３の映像出力端子のうち、キャラクターをスーパーインポーズした映像信号が出力される端子５３ａから、ビデオモニター５５に映像信号を出力する。また、プレーヤー側のＶＴＲ５２の映像出力端子のうち、キャラクターをスーパーインポーズしない映像信号が出力される端子５２ｂから、レコーダー側のＶＴＲ５３に映像信号を出力する。
【０００５】
この図１の編集システムによれば、各ＶＴＲ５２，５３での再生映像がそれぞれそのタイムコードをスーパーインポーズしてビデオモニター５４，５５に表示されるので、ビデオモニター５４，５５を見ながらエディター５１でＶＴＲ５２，５３を操作して編集点（ＩＮ点及びＯＵＴ点）を設定して、編集を実行させることができる。また、プレーヤー側のＶＴＲ５２が発生したタイムコード等のキャラクターがレコーダー側のＶＴＲ５３に記録されてしまうようなこともない。しかし、例えば机の上のような限られたスペースで編集を行う場合には、このように２台のビデオモニターを用いることができないこともある。
【０００６】
図２は、ビデオモニターを１台だけ用いた編集システムの従来の構成を示す図であり、ＶＴＲ５２，ＶＴＲ５３及びビデオモニター５４は図１と同一のものである。エディター６１は、その操作パネルの操作に基づいて２台のＶＴＲを制御する機能を有する編集装置であり、このエディター６１でプレーヤー側のＶＴＲ５２とレコーダー側のＶＴＲ５３とを制御する。ここでも、プレーヤー側のＶＴＲ５２の映像出力端子のうち、キャラクターをスーパーインポーズしない映像信号が出力される端子５２ｂから、レコーダー側のＶＴＲ５３に映像信号を出力する（図１のシステムと同様に、プレーヤー側が発生したタイムコード等のキャラクターがレコーダー側に記録されないようにするためである）。また、ＶＴＲ５３の映像出力端子のうち、キャラクターをスーパーインポーズした映像信号が出力される端子５３ａから、ビデオモニター５４に映像信号を出力する。
【０００７】
エディター６１内のシステム制御部は、ＶＴＲが一般に有している機能であるＥＥモード機能（Electric-to-Electricモード機能：外部から映像入力端子に入力した映像信号を、記録・再生することなく映像出力端子から出力する機能）を利用して、図３に示すような処理を実行することにより、ビデオモニター５４に表示させる映像を切り換える。
【０００８】
この処理では、エディター６１の操作パネルでプレーヤー側，レコーダー側のいずれのＶＴＲが操作対象として指定されたかを判断する（ステップＳ１１，Ｓ１２）。そして、プレーヤー側が操作対象として指定された場合には、レコーダー側のＶＴＲ５３のＥＥモードをオンにする（ステップＳ１３）。これにより、操作パネルでＶＴＲの再生操作が行われると、プレーヤー側のＶＴＲ５２で再生された映像信号が、ＶＴＲ５２の出力端子５２ｂからレコーダー側のＶＴＲ５３に出力され、ＶＴＲ５３のＥＥモード機能によってＶＴＲ５３の出力端子５３ａからビデオモニター５４に出力される。
【０００９】
他方、レコーダー側が操作対象として指定された場合には、ＶＴＲ５３のＥＥモードをオフにする（通常の記録・再生モードにする）（ステップＳ１４）。これにより、操作パネルでＶＴＲの再生操作が行われると、ＶＴＲ５３で再生された映像信号が、ＶＴＲ５３の出力端子５３ａからビデオモニター５４に出力される。
【００１０】
この図２の編集システムによれば、各ＶＴＲ５２，５３での再生映像が１台のビデオモニター５４に切換えて表示されるので、限られたスペースでも編集を行うことができる。しかし、レコーダー側のＶＴＲ５３での再生映像はそのタイムコードをスーパーインポーズして表示されるが、プレーヤー側のＶＴＲ５２での再生映像は、そのタイムコードをスーパーインポーズされないだけでなく、レコーダー側のＶＴＲ５３が発生したタイムコードをスーパーインポーズして表示されてしまう。そのため、プレーヤー側の再生映像のタイムコードをビデオモニター５４で確認できないだけでなく、レコーダー側が発生したタイムコードをプレーヤー側の再生映像のタイムコードであると誤認識してしまう可能性があった。
【００１１】
他方、従来、ＶＴＲのような映像記録再生装置の分野で、プレーヤー側として用いる映像記録再生装置におけるキャラクターの発生の有無を制御する技術は提案されていた（特許文献１）。しかし、プレーヤー側，レコーダー側のそれぞれにおけるキャラクターの発生の有無を制御する技術や、プレーヤー側，レコーダー側のそれぞれにおけるキャラクターの発生の有無をＥＥモードのオン／オフと連動して制御する技術は提案されていなかった。
【００１２】
【特許文献１】特開平７−１２３３５２号公報
【発明の開示】
【発明が解決しようとする課題】
【００１３】
本発明は、上述の点に鑑み、２台の映像記録再生装置を制御して編集を行う際に、各映像記録再生装置での再生映像を、それぞれそのタイムコードをスーパーインポーズして１台のビデオモニターに表示させることを課題とする。
【課題を解決するための手段】
【００１４】
上記課題を解決するため、本発明に係る編集装置は、外部から入力した映像信号を記録・再生することなく出力するＥＥモード機能と、出力する映像信号にキャラクターをスーパーインポーズするスーパーインポーズ機能とをそれぞれ有する再生側，記録側の２台の映像記録再生装置のうち、操作対象の映像記録再生装置を指定し、指定した映像記録再生装置から映像信号を再生させる操作と、編集を実行する操作とを行うための操作部と、この操作部の操作に基づいて再生側，記録側の映像記録再生装置を制御する制御部とを備え、この制御部は、この操作部で再生側の映像記録再生装置が操作対象として指定されたことに応じて、記録側の映像記録再生装置にＥＥモードをオンさせ、再生側の映像記録再生装置にスーパーインポーズをオンさせるとともに記録側の映像記録再生装置にスーパーインポーズをオフさせる第１の制御と、この操作部で記録側の映像記録再生装置が操作対象として指定されたことに応じて、記録側の映像記録再生装置にＥＥモードをオフさせ、記録側の映像記録再生装置にスーパーインポーズをオンさせる第２の制御と、この操作部で編集を実行する操作が行われたことに応じて、記録側の映像記録再生装置にＥＥモードをオフさせ、再生側の映像記録再生装置にスーパーインポーズをオフさせるとともに記録側の映像記録再生装置にスーパーインポーズをオンさせる第３の制御とを行うことを特徴とする。
【００１５】
また、本発明に係る映像記録再生装置の制御方法は、外部から入力した映像信号を記録・再生することなく出力するＥＥモード機能と、出力する映像信号にキャラクターをスーパーインポーズするスーパーインポーズ機能とをそれぞれ有する再生側，記録側の２台の映像記録再生装置を制御する編集装置における映像記録再生装置の制御方法において、再生側の映像記録再生装置が操作対象として指定されたことに応じて、記録側の映像記録再生装置にＥＥモードをオンさせ、再生側の映像記録再生装置にスーパーインポーズをオンさせるとともに記録側の映像記録再生装置にスーパーインポーズをオフさせる第１のステップと、記録側の映像記録再生装置が操作対象として指定されたことに応じて、記録側の映像記録再生装置にＥＥモードをオフさせ、記録側の映像記録再生装置にスーパーインポーズをオンさせる第２のステップと、編集実行操作が行われたことに応じて、記録側の映像記録再生装置にＥＥモードをオフさせ、再生側の映像記録再生装置にスーパーインポーズをオフさせるとともに記録側の映像記録再生装置にスーパーインポーズをオンさせる第３のステップとを有することを特徴とする。
【００１６】
上記発明によれば、再生側の映像記録再生装置の操作時には、編集装置が、記録側の映像記録再生装置にＥＥモードをオンさせ、再生側の映像記録再生装置にスーパーインポーズをオンさせるとともに記録側の映像記録再生装置にスーパーインポーズをオフさせる。したがって、再生側の映像記録再生装置から、タイムコード等のキャラクターをスーパーインポーズした再生映像信号を記録側の映像記録再生装置に出力させ、記録側の映像記録再生装置から、その再生映像信号をＥＥモードでビデオモニターに出力させることができる。そして、記録側の映像記録再生装置のスーパーインポーズはオフになるので、ビデオモニターに出力される映像信号に、記録側の映像記録再生装置が発生したキャラクターがスーパーインポーズされてしまうことはない。これにより、再生側の映像記録再生装置で再生した映像信号に、再生側の映像記録再生装置が発生したキャラクターをスーパーインポーズした映像信号による映像を、記録側の映像記録再生装置に接続したビデオモニターに表示させることができる。
【００１７】
また、記録側の映像記録再生装置の操作時には、編集装置が、記録側の映像記録再生装置にＥＥモードをオフさせ、記録側の映像記録再生装置にスーパーインポーズをオンさせる。したがって、記録側の映像記録再生装置から、キャラクターをスーパーインポーズした再生映像信号をビデオモニターに出力させることができる。これにより、記録側の映像記録再生装置で再生した映像信号に、記録側の映像記録再生装置が発生したキャラクターをスーパーインポーズした映像信号による映像を、記録側の映像記録再生装置に接続したビデオモニターに表示させることができる。
【００１８】
また、編集実行時には、編集装置が、記録側の映像記録再生装置にＥＥモードをオフさせ、再生側の映像記録再生装置にスーパーインポーズをオフさせるとともに記録側の映像記録再生装置にスーパーインポーズをオンさせる。したがって、記録側の映像記録再生装置から、キャラクターをスーパーインポーズした再生映像信号をビデオモニターに出力させることができる。これにより、これにより、記録側の映像記録再生装置で再生した映像信号に、記録側の映像記録再生装置が発生したキャラクターをスーパーインポーズした映像信号による映像を、記録側の映像記録再生装置に接続したビデオモニターに表示させることができる。そして、再生側の映像記録再生装置のスーパーインポーズはオフになるので、再生側の映像記録再生装置から記録側の映像記録再生装置に出力される再生映像信号には、キャラクターはスーパーインポーズされない。したがって、再生側の映像記録再生装置が発生したキャラクターが記録側の映像記録再生装置に記録されてしまうことはない。
【００１９】
このようにして、２台の映像記録再生装置を制御して編集を行う際に、各映像記録再生装置での再生映像を、それぞれそのタイムコードをスーパーインポーズして、記録側の映像記録再生装置に接続した１台のビデオモニターに表示させることができる。
【００２０】
次に、本発明に係る編集システムは、編集装置と、外部から入力した映像信号を記録・再生することなく出力するＥＥモード機能と、出力する映像信号にキャラクターをスーパーインポーズするスーパーインポーズ機能とをそれぞれ有する再生側，記録側の２台の映像記録再生装置と、１台のビデオモニターとで構成され、再生側の映像記録再生装置の映像出力端子のうち、キャラクターをスーパーインポーズするための合成回路を経由する映像信号が出力される端子が、記録側の映像記録再生装置の映像入力端子に接続され、記録側の映像記録再生装置の映像出力端子のうち、キャラクターをスーパーインポーズするための合成回路を経由する映像信号が出力される端子が、このビデオモニターに接続され、この編集装置は、再生側，記録側の映像記録再生装置のうち、操作対象の映像記録再生装置を指定し、指定した映像記録再生装置から映像信号を再生させる操作と、編集を実行する操作とを行うための操作部と、この操作部の操作に基づいて再生側，記録側の映像記録再生装置を制御する制御部とを備え、この制御部は、この操作部で再生側の映像記録再生装置が操作対象として指定されたことに応じて、記録側の映像記録再生装置にＥＥモードをオンさせ、再生側の映像記録再生装置にスーパーインポーズをオンさせるとともに記録側の映像記録再生装置にスーパーインポーズをオフさせる第１の制御と、この操作部で記録側の映像記録再生装置が操作対象として指定されたことに応じて、記録側の映像記録再生装置にＥＥモードをオフさせ、記録側の映像記録再生装置にスーパーインポーズをオンさせる第２の制御と、この操作部で編集を実行する操作が行われたことに応じて、記録側の映像記録再生装置にＥＥモードをオフさせ、再生側の映像記録再生装置にスーパーインポーズをオフさせるとともに記録側の映像記録再生装置にスーパーインポーズをオンさせる第３の制御とを行うことを特徴とする。
【００２１】
この編集システムは、前述の本発明に係る編集装置によって制御される再生側，記録側の２台の映像記録再生装置と、１台のビデオモニターとを、各映像記録再生装置での再生映像がそれぞれそのタイムコードをスーパーインポーズしてこの１台のビデオモニターに表示されるように接続したものである。
【発明の効果】
【００２２】
本発明によれば、２台の映像記録再生装置を制御して編集を行う際に、各映像記録再生装置での再生映像を、それぞれそのタイムコードをスーパーインポーズして１台のビデオモニターに表示させることができるという効果が得られる。
【発明を実施するための最良の形態】
【００２３】
以下、本発明の実施の形態を図面を用いて具体的に説明する。図４は、本発明を適用した編集システムの構成例を示す図である。この編集システムは、エディター１と、プレーヤー側（再生側）のＶＴＲ２と、レコーダー側（記録側）のＶＴＲ３と、１台のビデオモニター４とで構成されている。
【００２４】
エディター１は、２台のＶＴＲを制御する機能を有する編集装置である。図５は、このエディター１の上面に設けられた操作パネルの外観を示す図である。この操作パネルは、ユーザーが、２台のＶＴＲを操作してアッセンブル編集やインサート編集を行うためのものであり、次のような釦やダイヤルやディスプレイ等を含んでいる。
・操作対象のＶＴＲとして、プレーヤー側のＶＴＲを指定するためのプレーヤー指定釦１１
・操作対象のＶＴＲとして、レコーダー側のＶＴＲを指定するためのレコーダー指定釦１２
・プレーヤー指定釦１１，レコーダー指定釦１２で指定したＶＴＲの操作（再生・早送り・巻戻し・録画・停止・シャトル再生等）を行うための釦群１３及びダイヤル１４
・編集点（ＩＮ点及びＯＵＴ点）の設定や、設定した編集点の微調整等を行うための釦群１５
・編集の実行させるための編集実行釦１６
・再生中の映像のタイムコードや、メニュー画面等が表示されるディスプレイ１７
【００２５】
図６は、エディター１の回路構成の概要を示す図である。エディター１内には、図５に示したような釦やディスプレイ等で構成された操作パネル２１と、ＣＰＵやメモリで構成されたシステム制御部２２と、プレーヤー側のＶＴＲを制御するための外部制御出力端子２３と、レコーダー側のＶＴＲを制御するための外部制御出力端子２４とが設けられている。システム制御部２２は、操作パネル２１の操作に基づき、外部制御出力端子２３や外部制御出力端子２４から制御信号を出力する。
【００２６】
図４のプレーヤー側のＶＴＲ２とレコーダー側のＶＴＲ３とは、同一構成のものである。図７は、これらのＶＴＲの回路構成の概要を示す図である。ＶＴＲ内には、記録・再生用の映像信号処理系（エンファシス回路，ＦＭ変調回路，記録アンプ，再生アンプ，イコライザ，ＦＭ復調回路，ディエンファシス回路）及びヘッドドラムで構成されるＶＴＲ部３１と、オンスクリーンデータ発生部３２と、合成部３３と、切換スイッチ３４と、ＣＰＵやメモリで構成されたシステム制御部３５と、映像信号入力端子３６と、映像信号出力端子３７及び３８と、外部制御入力端子３９とが設けられている。
【００２７】
外部から映像信号入力端子３６に入力した映像信号は、ＶＴＲ部３１に送られるとともに切換スイッチ３４の一方の入力端に送られる。ＶＴＲ部３１で再生された映像信号は、切換スイッチ３４のもう一方の入力端に送られる。
【００２８】
切換スイッチ３４は、ＥＥモード機能のためのスイッチであり、ＥＥモードのオン時には映像信号入力端子３６への入力映像信号を出力端から出力し、ＥＥモードのオフ時（通常の記録・再生モード時）にはＶＴＲ部３１での再生映像信号を出力端から出力する。切換スイッチ３４の出力端から出力された映像信号は、映像信号出力端子３７から外部に出力されるとともに、合成部３３に送られる。
【００２９】
オンスクリーンデータ発生部３２は、タイムコード等のキャラクター（オンスクリーンデータ）を発生する回路である。オンスクリーンデータ発生部３２で発生されたキャラクターは合成部３３に送られる。
【００３０】
合成部３３は、映像信号にキャラクターをスーパーインポーズするための回路である。合成部３３の処理を経た映像信号は、映像信号出力端子３８から外部に出力される。
【００３１】
システム制御部３５は、外部制御入力端子３９に入力した制御信号や、ＶＴＲ自身の操作パネル（図示略）の操作に基づいてＶＴＲ内の各部を制御するが、外部制御入力端子３９に入力した制御信号のほうを優先させて制御を行う。
【００３２】
図４に示すように、エディター１の外部制御出力端子２３（図６）からはＶＴＲ２の外部制御入力端子３９（図７）に制御信号が出力され、システム制御部３５の外部制御出力端子２４（図６）からはＶＴＲ３の外部制御入力端子３９（図７）に制御信号が出力される。また、プレーヤー側のＶＴＲ２の映像信号出力端子３８（図７）からレコーダー側のＶＴＲ３の映像信号入力端子３６（図７）に映像信号が出力され、レコーダー側のＶＴＲ３の映像信号出力端子３８（図７）からビデオモニター４に映像信号が出力される。
【００３３】
エディター１のシステム制御部２２（図６）は、ビデオモニターに表示させる映像を切り換えるために、図８に示すような処理を実行する。
【００３４】
この処理では、操作パネルのプレーヤー指定釦１１，レコーダー指定釦１２，編集実行釦１６（図５）のうちのいずれかが押されたかを判断する（ステップＳ１，Ｓ２）。
【００３５】
プレーヤー指定釦１１が押された場合（すなわち操作対象のＶＴＲとしてプレーヤー側のＶＴＲが指定された場合）には、プレーヤー側のＶＴＲを制御するための外部制御出力端子２３から、キャラクターのスーパーインポーズをオンさせる制御信号を出力し（ステップＳ３）、レコーダー側のＶＴＲを制御するための外部制御出力端子２４から、ＥＥモードをオンさせるとともにキャラクターのスーパーインポーズをオフさせる制御信号を出力する（ステップＳ４）。そしてステップＳ１に戻る。
【００３６】
操作対象指定釦１２が押された場合（すなわち操作対象のＶＴＲとしてレコーダー側のＶＴＲが指定された場合）または編集実行釦１６が押された場合には、外部制御出力端子２３から、キャラクターのスーパーインポーズをオフさせる制御信号を出力し（ステップＳ５）、外部制御出力端子２４から、ＥＥモードをオフさせるとともにキャラクターのスーパーインポーズをオンさせる制御信号を出力する（ステップＳ６）。そしてステップＳ１に戻る。
【００３７】
図９は、図８の表示切換処理によって各ＶＴＲ２，３から出力される映像信号を示す図であり、図９（ａ）はプレーヤー側のＶＴＲ２の操作時の図、図９（ｂ）はレコーダー側のＶＴＲ３の操作時や編集実行時の図である。
【００３８】
プレーヤー側のＶＴＲ２の操作時には、図８の処理のステップＳ３によってＶＴＲ２に送られた制御信号に基づき、ＶＴＲ２内では、システム制御部３５（図７）が合成部３３（図７）でのスーパーインポーズをオンにする。また、図８の処理のステップＳ４によってレコーダー側のＶＴＲ３に送られた制御信号に基づき、ＶＴＲ３内では、システム制御部３５（図７）が、切換スイッチ３４（図７）を映像信号入力端子３６（図７）側に切換えることによってＥＥモードをオンにするとともに、合成部３３（図７）でのスーパーインポーズをオフにする。
【００３９】
したがって、エディター１の操作パネルの釦群１３やダイヤル１４（図５）で再生操作を行うと、プレーヤー側のＶＴＲ２内では、ＶＴＲ部３１（図７）で再生された映像信号Ｖｐに、合成部３３で、オンスクリーンデータ発生部３２（図７）が発生したタイムコード等のキャラクターＣｐがスーパーインポーズされる。これにより、図９（ａ）のように、ＶＴＲ２から、このキャラクターＣｐをスーパーインポーズした映像信号Ｖｐ＋Ｃｐがレコーダー側のＶＴＲ３に出力され、ＶＴＲ３から、この映像信号Ｖｐ＋ＣｐがＥＥモードでビデオモニター４に出力される。
【００４０】
そして、レコーダー側のＶＴＲ３のスーパーインポーズはオフになるので、ビデオモニター４に出力される映像信号に、ＶＴＲ３内のオンスクリーンデータ発生部３２（図７）が発生したタイムコード等のキャラクターがスーパーインポーズされてしまうことはない。その結果、ビデオモニター４には、プレーヤー側のＶＴＲ２で再生した映像信号Ｖｐに、プレーヤー側のＶＴＲ２が発生したキャラクターＣｐをスーパーインポーズした映像信号Ｖｐ＋Ｃｐによる映像が表示される。
【００４１】
他方、レコーダー側のＶＴＲ３の操作時や編集実行時には、図８の処理のステップＳ５によってプレーヤー側のＶＴＲ２に送られた制御信号に基づき、ＶＴＲ２内では、システム制御部３５（図７）が合成部３３（図７）でのスーパーインポーズをオフにする。また、図８の処理のステップＳ６によってレコーダー側のＶＴＲ３に送られた制御信号に基づき、ＶＴＲ３内では、システム制御部３５（図７）が、切換スイッチ３４（図７）をＶＴＲ部３１（図７）側に切換えることによってＥＥモードをオフにするとともに、合成部３３（図７）でのスーパーインポーズをオンにする。
【００４２】
したがって、レコーダー側のＶＴＲ３の操作時にエディター１の操作パネルの釦群１３やダイヤル１４（図５）で再生操作を行うと、ＶＴＲ３内では、ＶＴＲ部３１（図７）で再生された映像信号Ｖｒに、合成部３３で、オンスクリーンデータ発生部３２（図７）が発生したタイムコード等のキャラクターＣｒがスーパーインポーズされる。これにより、図９（ｂ）のように、ＶＴＲ３から、このキャラクターＣｒをスーパーインポーズした映像信号Ｖｒ＋Ｃｒがビデオモニター４に出力される。その結果、ビデオモニター４には、レコーダー側のＶＴＲ３で再生した映像信号Ｖｒに、レコーダー側のＶＴＲ３が発生したキャラクターＣｒをスーパーインポーズした映像信号Ｖｒ＋Ｃｒによる映像が表示される。
【００４３】
また、プレーヤー側のＶＴＲ２のスーパーインポーズはオフになるので、編集実行時には、ＶＴＲ２で再生されてレコーダー側のＶＴＲ３に出力される映像信号Ｖｐには、ＶＴＲ２内のオンスクリーンデータ発生部３２（図７）が発生したキャラクターはスーパーインポーズされない。したがって、編集実行時に、プレーヤー側のＶＴＲ２が発生したキャラクターがレコーダー側のＶＴＲ３に記録されてしまうことはない。
【００４４】
図１０は、プレーヤー側のＶＴＲ２の操作時，レコーダー側のＶＴＲ３の操作時，編集実行時のそれぞれについて、図８の表示切換処理によるＶＴＲ２，ＶＴＲ３の制御内容と、図９を用いて説明したビデオモニター４の表示内容とを対応させて示す図である。
【００４５】
以上に説明したように、この編集システムによれば、各ＶＴＲ２，３での再生映像が１台のビデオモニター４に切換えて表示されるので限られたスペースで編集を行うことができるだけでなく、各ＶＴＲ２，３での再生映像がそれぞれそのタイムコード等のキャラクターをスーパーインポーズしてビデオモニター４に表示されるので、プレーヤー側のＶＴＲ２，レコーダー側のＶＴＲ３のいずれの操作時にも、再生映像のタイムコードをビデオモニター４で確認しながら、編集点を設定する操作をエディター１の操作パネルの釦群１５（図５）で行うことができる。また、編集実行時に、プレーヤー側のＶＴＲ２が発生したキャラクターがレコーダー側のＶＴＲ３に記録されてしまうことはない。
【００４６】
なお、図８に示した表示切換処理では、レコーダー側のＶＴＲの操作時（レコーダー指定釦１２が押されたとき）と編集実行時（編集実行釦１６が押されたとき）とで処理内容が同一になっている。しかし、レコーダー側のＶＴＲの操作時には、プレーヤー側のＶＴＲからレコーダー側のＶＴＲには映像信号は出力されないので、ステップＳ５のように外部制御出力端子２３からキャラクターのスーパーインポーズをオフさせる制御信号を出力する処理（プレーヤー側のＶＴＲでのキャラクターのスーパーインポーズをオフさせる処理）を省略してもよい。
【００４７】
また、本発明は、図５及び図６に示した外観・構成のエディターに限らず、２台の映像記録再生装置（ＥＥモード機能及びスーパーインポーズ機能を有するもの）を制御するあらゆる編集装置に適用することができる。
【図面の簡単な説明】
【００４８】
【図１】２台のビデオモニターを用いた従来の編集システムの構成を示す図である。
【図２】１台のビデオモニターを用いた従来の編集システムの構成を示す図である。
【図３】図２のエディターが表示切換のために実行する処理を示すフローチャートである。
【図４】本発明を適用した編集システムの構成例を示す図である。
【図５】図４のエディターの操作パネルの外観を示す図である。
【図６】図４のエディターの回路構成の概要を示すブロック図である。
【図７】図４の各ＶＴＲの回路構成の概要を示すブロック図である。
【図８】図６のシステム制御部が表示切換のために実行する処理を示すフローチャートである。
【図９】図８の処理によって各ＶＴＲから出力される映像信号を示す図である。
【図１０】図８の処理による各ＶＴＲの制御内容とビデオモニターの表示内容とを対応させて示す図である。
【符号の説明】
【００４９】
１  エディター、  ２  プレーヤー側のＶＴＲ、  ３  レコーダー側のＶＴＲ、  ４  ビデオモニター、  １１  プレーヤー指定釦、  １２  レコーダー指定釦、  １６  編集実行釦、  ２２  システム制御部、  ３１  ＶＴＲ部、  ３２  オンスクリーンデータ発生部、  ３３  合成部、  ３４  切換スイッチ、  ３５  システム制御部
【図１】
2008053839.tif 000003
【図２】
2008053839.tif 000004
【図３】
2008053839.tif 000005
【図４】
2008053839.tif 000006
【図５】
2008053839.tif 000007
【図６】
2008053839.tif 000008
【図７】
2008053839.tif 000009
【図８】
2008053839.tif 000010
【図９】
2008053839.tif 000011
【図１０】
2008053839.tif 000012